(57)【特許請求の範囲】
【請求項１】
接続される表示装置の表示能力を特定する必要情報特定部と、
再生するコンテンツに応じて表示する項目を特定し、前記必要情報特定部により特定した表示装置の表示能力に応じて前記表示する項目を含む出力情報を生成する出力情報生成部と、
を備え、
前記出力情報生成部は、前記コンテンツの種類に応じた複数の所定の項目を複数の表示する項目として特定し、前記複数の表示する項目について前記コンテンツの種類に応じて表示する優先順を付ける、
ことを特徴とする表示情報生成装置。
【請求項２】
請求項１に記載の表示情報生成装置であって、
前記必要情報特定部は、前記表示装置から、前記表示装置が表示可能なテキストの量を特定する情報を得て表示能力として特定する、
ことを特徴とする表示情報生成装置。
【請求項３】
請求項１に記載の表示情報生成装置であって、
前記必要情報特定部は、前記表示装置から、前記表示装置が表示可能なテキストの行数を特定する情報を得て表示能力として特定し、
前記出力情報生成部は、前記出力情報を、前記行数に応じて生成する、
ことを特徴とする表示情報生成装置。
【請求項４】
情報処理装置による情報表示方法であって、
前記情報処理装置は、制御部を備え、
前記制御部は、
接続される表示装置の表示能力を特定する必要情報特定ステップと、
再生するコンテンツに応じて表示する項目を特定し、前記必要情報特定ステップにおいて特定した表示装置の表示能力に応じて前記表示する項目を含む出力情報を生成する出力情報生成ステップと、
を実施し、
前記出力情報生成ステップでは、前記コンテンツの種類に応じた複数の所定の項目を複数の表示する項目として特定し、前記複数の表示する項目について前記コンテンツの種類に応じて表示する優先順を付ける、
ことを特徴とする情報表示方法。
【発明の詳細な説明】
【技術分野】
【０００１】
本発明は、表示情報生成装置、表示情報生成システムおよび情報表示方法の技術に関するものである。
【背景技術】
【０００２】
複数の放送番組が多重化されて送信されてくるデジタル放送の電波から、指示に応じた放送局の放送波信号を選択するチューナと、選択された放送波信号に含まれる複数の特定のデータについてＣＲＣ演算を行い、該演算結果と当該特定のデータに含まれるＣＲＣデータとの比較に基づき、表示手段に対して受信中の番組に係るラベル情報の表示を制御する制御手段とを備え、制御手段は、選択された放送波信号の受信状態が所定レベル未満になったときに、複数の特定のデータを読み込んでそれぞれＣＲＣ演算を行い、該演算結果から所定の確率以上でＣＲＣエラーが発生している場合に、表示手段に対して表示中のラベル情報の表示を維持するよう制御することを特徴とするデジタルオーディオ放送受信装置についての技術が、特許文献１に記載されている。
【先行技術文献】
【特許文献】
【０００３】
【特許文献１】特開２０１４−１８００４２号公報
【発明の概要】
【発明が解決しようとする課題】
【０００４】
上記のような技術では、デジタル放送の受信状態が悪化した場合に、ＣＲＣ誤検知がなされると誤ったラベル情報が表示されることを低減するが、多様な表示装置が存在する場合に、表示能力に応じた表示を行うものとはいえなかった。
【０００５】
本発明の目的は、表示情報を適切に生成する技術を提供することにある。
【課題を解決するための手段】
【０００６】
本発明は、上記課題の少なくとも一部を解決する手段を複数含んでいるが、その例を挙げるならば、以下のとおりである。上記課題を解決すべく、本発明に係る表示情報生成装置は、接続される表示装置の表示能力を特定する必要情報特定部と、再生するコンテンツに応じて表示する項目を特定し、上記必要情報特定部により特定した表示装置の表示能力に応じて上記表示する項目を含む出力情報を生成する出力情報生成部と、を備え、上記出力情報生成部は、上記コンテンツの種類に応じた複数の所定の項目を複数の表示する項目として特定し、上記複数の表示する項目について上記コンテンツの種類に応じて表示する優先順を付ける、ことを特徴とする。
【発明の効果】
【０００７】
本願発明によれば、表示情報を適切に生成する技術を提供することが可能となる。上記した以外の課題、構成および効果は、以下の実施形態の説明により明らかにされる。
【図面の簡単な説明】
【０００８】
【図１】本発明に係る実施形態を適用した表示情報生成システムの構造を示す図である。
【図２】プログラムタイプ記憶部のデータ構造を示す図である。
【図３】優先情報記憶部のデータ構造を示す図である。
【図４】出力情報記憶部のデータ構造を示す図である。
【図５】表示情報生成装置のハードウェア構造を示す図である。
【図６】表示装置のハードウェア構造を示す図である。
【図７】プログラムタイプ特定処理の流れを示す図である。
【図８】出力情報生成処理の流れを示す図である。
【図９】出力情報生成処理により生成される情報の例を示す図である。
【発明を実施するための形態】
【０００９】
以下に、本発明に係る実施形態を適用した表示情報生成システムについて、図面を参照して説明する。なお、図１〜９は、表示情報生成システムの全ての構成を示すものではなく、理解容易のため、適宜、構成の一部を省略して描いている。
【００１０】
図１に、本発明に係る実施形態を適用した表示情報生成システムの構造を示す。本発明に係る実施形態を適用した表示情報生成システムにおいては、表示情報生成装置１００と、表示装置２００と、が通信可能に接続されている。なお、表示情報生成装置１００と、表示装置２００とは、通信ネットワークを介して接続されるものであってもよく、例えばインターネット網や携帯電話網等の公衆無線通信網であってもよいし、所定の管理地域ごとに設けられた閉鎖的な通信網であってもよい。より具体的には、そのような通信ネットワークは、インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＷｉＦｉ（登録商標）等の無線ネットワーク、Ｂｌｕｅｔｏｏｔｈ（登録商標）等の近距離無線等の、各種通信方法による通信網であってもよい。
【００１１】
表示情報生成装置１００は、オーディオ等のコンテンツをＣＤ（Ｃｏｍｐａｃｔ  Ｄｉｓｋ）やＤＶＤ（Ｄｉｇｉｔａｌ  Ｖｅｒｓａｔｉｌｅ  Ｄｉｓｋ）、各種の不揮発性記憶媒体等から読出し、あるいはＤＡＢ（Ｄｉｇｉｔａｌ  Ａｕｄｉｏ  Ｂｒｏａｄｃａｓｔ）等のデジタル放送等から取得可能な情報処理装置である。
【００１２】
本実施形態においては、表示情報生成装置１００は、ＤＡＢをアンテナ５０を介して受信する受信装置である。しかし、本願発明の対象となる表示情報生成装置１００は、図１に示す表示情報生成装置１００に限られるものではない。例えば、移動体に組み込まれた各種制御機器、カーナビゲーション装置であってもよい。
【００１３】
また、表示情報生成装置１００は、移動体に着脱可能に設けられるものであってもよい。あるいは、表示情報生成装置１００は、移動体の運転者あるいは乗員が有する携帯電話機器等の移動端末であってもよく、例えばスマートフォンやフィーチャーフォン、あるいはＰＤＡ（Ｐｅｒｓｏｎａｌ  Ｄｉｇｉｔａｌ  Ａｓｓｉｓｔａｎｃｅ）、ノートパソコン、サーバー装置、デジタル放送の中継装置、タブレット端末等であってもよい。
【００１４】
表示情報生成装置１００は、制御部１２０と、記憶部１３０と、を含んで構成される。制御部１２０には、受信制御部１２１と、プログラムタイプ特定部１２２と、必要情報特定部１２３と、出力情報生成部１２４と、が含まれる。記憶部１３０には、プログラムタイプ記憶部１３１と、優先情報記憶部１３２と、出力情報記憶部１３３と、が含まれる。
【００１５】
図２は、プログラムタイプ記憶部１３１のデータ構造を示す図である。
【００１６】
プログラムタイプ記憶部１３１は、チャンネル識別子１３１Ａと、プログラムタイプ１３１Ｂと、を含む。チャンネル識別子１３１Ａは、ＤＡＢのサービスを特定する識別子である。プログラムタイプ１３１Ｂは、チャンネル識別子１３１Ａにより特定されるＤＡＢのチャンネルごとの、コンテンツの種類を特定する情報であるプログラムタイプを特定する情報である。
【００１７】
図３は、優先情報記憶部１３２のデータ構造を示す図である。優先情報記憶部１３２は、プログラムタイプ１３２Ａと、第一の優先ＤＬ（Ｄｙｎａｍｉｃ  Ｌａｂｅｌ）タグ１３２Ｂと、第二の優先ＤＬタグ１３２Ｃと、第三の優先ＤＬタグ１３２Ｄと、を含む。
【００１８】
プログラムタイプ１３２Ａは、ＤＡＢのＰＴｙ情報に相当する、放送プログラムのコンテンツの種類を特定する情報である。第一の優先ＤＬタグ１３２Ｂは、プログラムタイプ１３２Ａにより特定されるコンテンツの種類ごとに、表示を最も優先する順位にあるＤＬプラスタグを特定する情報である。例えば、プログラムタイプが「Ｐｏｐ  ｍｕｓｉｃ」であれば、「Ｉｔｅｍ．ｔｉｔｌｅ（曲のタイトル）」が最優先の表示項目である、ということを示す情報である。
【００１９】
第二の優先ＤＬタグ１３２Ｃは、プログラムタイプ１３２Ａにより特定されるコンテンツの種類ごとに、表示を二番目に優先する順位にあるＤＬプラスタグを特定する情報である。例えば、プログラムタイプが「Ｐｏｐ  ｍｕｓｉｃ」であれば、「Ｉｔｅｍ．ａｒｔｉｓｔ（曲のアーティスト）」が二番目に優先する表示項目である、ということを示す情報である。
【００２０】
第三の優先ＤＬタグ１３２Ｄは、プログラムタイプ１３２Ａにより特定されるコンテンツの種類ごとに、表示を三番目に優先する順位にあるＤＬプラスタグを特定する情報である。例えば、プログラムタイプが「Ｐｏｐ  ｍｕｓｉｃ」であれば、「Ｐｒｏｇｒａｍｍｅ．ｎｏｗ」が三番目に優先する表示項目である、ということを示す情報である。
【００２１】
図４は、出力情報記憶部１３３のデータ構造を示す図である。出力情報記憶部１３３は、一行目１３３Ａと、二行目１３３Ｂと、三行目１３３Ｃと、を含む。
【００２２】
一行目１３３Ａは、出力情報の一行目に表示するテキスト情報である。二行目１３３Ｂ、三行目１３３Ｃについても、出力情報のそれぞれ二行目、三行目に表示するテキスト情報である。例えば、一行目１３３Ａに「Ｓｏｎｇ  ｔｉｔｌｅ  Ｘ」、二行目１３３Ｂに「Ａｒｔｉｓｔ  Ｙ」、三行目１３３Ｃには空の情報が格納される場合には、表示装置２００の表示領域の一行目には「Ｓｏｎｇ  ｔｉｔｌｅ  Ｘ」が、二行目には「Ａｒｔｉｓｔ  Ｙ」が、それぞれ表示されるように情報が格納され、三行目には何も表示されないように情報が格納されているといえる。
【００２３】
図１の説明に戻る。受信制御部１２１は、ＤＡＢの受信を制御する。具体的には、受信制御部１２１は、ＤＡＢを受信して、ＦＩＣ（Ｆａｓｔ  Ｉｎｆｏｒｍａｔｉｏｎ  Ｃｈａｎｎｅｌ）、コンテンツデータ、附帯するテキスト情報であるＤＬデータ、ＤＬデータの構造を特定するＤＬプラスタグの情報を抽出する。
【００２４】
プログラムタイプ特定部１２２は、受信制御部１２１が抽出したＦＩＣからＦＩＢ（Ｆａｓｔ  Ｉｎｆｏｒｍａｔｉｏｎ  Ｂｌｏｃｋ）を取り出し、さらにＦＩＢからＦＩＧ（ＦＩＧ：Ｆａｓｔ  Ｉｎｆｏｒｍａｔｉｏｎ  Ｇｒｏｕｐ）を取り出して、所定のＰＴｙ情報を取得することで、プログラムタイプを特定する。
【００２５】
必要情報特定部１２３は、接続される表示装置の表示能力を、接続確立時に特定する。具体的には、必要情報特定部１２３は、表示装置２００ごとに、表示可能なテキストの量、例えばテキスト表示領域の行数等を取得して表示能力として特定する。
【００２６】
出力情報生成部１２４は、再生するコンテンツの種類に応じて表示する項目を特定し、必要情報特定部１２３により特定した表示装置の表示能力に応じて表示する項目をその行数に応じて含む出力情報を生成する。より具体的には、出力情報生成部１２４は、プログラムタイプ特定部１２２により特定したプログラムタイプに応じて表示する項目の優先順を特定し、必要情報特定部１２３により特定した表示装置の表示能力に応じて優先順に出力情報を生成する。
【００２７】
表示装置２００は、オーディオ等のコンテンツに関するテキスト情報を液晶画面等に表示する装置である。
【００２８】
本実施形態においては、表示装置２００は、表示情報生成装置１００と接続され、表示情報生成装置１００が生成した表示情報を表示する。しかし、本願発明の対象となる表示装置２００は、図１に示す表示装置２００に限られるものではない。例えば、移動体に組み込まれた各種制御機器やオーディオ装置、カーナビゲーション装置であってもよい。
【００２９】
また、表示装置２００は、移動体に着脱可能に設けられるものであってもよい。あるいは、表示装置２００は、移動体の運転者あるいは乗員が有する携帯電話機器等の移動端末であってもよく、例えばスマートフォンやフィーチャーフォン、あるいはＰＤＡ（Ｐｅｒｓｏｎａｌ  Ｄｉｇｉｔａｌ  Ａｓｓｉｓｔａｎｃｅ）、ノートパソコン、サーバー装置、デジタル放送の中継装置、タブレット端末等であってもよい。
【００３０】
表示装置２００は、制御部２２０と、記憶部２３０と、を含んで構成される。制御部２２０には、表示制御部２２１と、接続確立部２２２と、受信チャンネル指定受付部２２３と、が含まれる。記憶部２３０には、出力情報記憶部２３１が含まれる。
【００３１】
出力情報記憶部２３１は、表示情報生成装置１００の出力情報記憶部１３３と基本的に同様の構造を有するデータを格納する。
【００３２】
表示制御部２２１は、表示情報生成装置１００から表示に係る出力情報を受け取ると出力情報記憶部２３１へ格納し、所定のタイミングで出力情報記憶部２３１から読み出した出力情報を用いて液晶画面等にテキスト情報の表示出力を行う。
【００３３】
接続確立部２２２は、表示情報生成装置１００とのデータ交換のための接続を確立するために、通信を制御する。
【００３４】
受信チャンネル指定受付部２２３は、操作者からの受信チャンネルの指定を受け付けると、表示情報生成装置１００の受信制御部１２１へ指定された受信チャンネルの情報を受け渡す。
【００３５】
なお、上記の表示情報生成システムは、表示情報生成装置１００と、表示装置２００と、が別の装置として分かれているが、これに限られるものではない。すなわち、表示情報生成装置１００と、表示装置２００とは、単一の装置であってもよい。
【００３６】
図５は、表示情報生成装置１００のハードウェア構造を示す図である。表示情報生成装置１００は、入力受付装置１０１と、演算装置１０２と、通信装置１０３と、主記憶装置１０４と、これらをつなぐバス１０６と、を含んで構成される。
【００３７】
入力受付装置１０１は、ハードウェアボタンやタッチパネル等の各種入力装置である。なお、この入力受付装置１０１は、表示装置２００の入出力の装置と共用されるものであってもよいし、独立しているものであってもよい。
【００３８】
演算装置１０２は、例えばＣＰＵ（Ｃｅｎｔｒａｌ  Ｐｒｏｃｅｓｓｉｎｇ  Ｕｎｉｔ）などの演算装置である。
【００３９】
通信装置１０３は、ネットワーク等を介して、例えば表示装置２００等の他の装置と通信経路を確立し情報を送受信するネットワークカード等の装置である。
【００４０】
主記憶装置１０４は、例えばＲＡＭ（Ｒａｎｄｏｍ  Ａｃｃｅｓｓ  Ｍｅｍｏｒｙ）などのメモリ装置である。
【００４１】
上記した制御部１２０の各機能部、すなわち受信制御部１２１、プログラムタイプ特定部１２２、必要情報特定部１２３、出力情報生成部１２４は、演算装置１０２が所定のプログラムを読み込み実行することにより構築される。そのため、主記憶装置１０４には、各機能部の処理を実現するためのプログラムが記憶されている。
【００４２】
なお、上記した各構成要素は、表示情報生成装置１００の構成を、理解を容易にするために、主な処理内容に応じて分類したものである。そのため、構成要素の分類の仕方やその名称によって、本願発明が制限されることはない。表示情報生成装置１００の構成は、処理内容に応じて、さらに多くの構成要素に分類することもできる。また、１つの構成要素がさらに多くの処理を実行するように分類することもできる。
【００４３】
また、各機能部は、ＣＰＵに限らずハードウェア（ＡＳＩＣ、ＧＰＵなど）により構築されてもよい。また、各機能部の処理が一つのハードウェアで実行されてもよいし、複数のハードウェアで実行されてもよい。
【００４４】
図６は、表示装置２００のハードウェア構造を示す図である。表示装置２００は、入力受付装置２０１と、演算装置２０２と、通信装置２０３と、主記憶装置２０４と、音声出力装置２０５と、出力表示装置２０６と、これらをつなぐバス２０８と、を含んで構成される。
【００４５】
入力受付装置２０１は、ハードウェアボタンやタッチパネル等の各種入力装置である。なお、この入力受付装置２０１は、表示情報生成装置１００の入出力の装置と共用されるものであってもよいし、独立しているものであってもよい。
【００４６】
演算装置２０２は、例えばＣＰＵなどの演算装置である。
【００４７】
通信装置２０３は、ネットワーク等を介して、例えば表示情報生成装置１００等の他の装置と通信経路を確立し情報を送受信するネットワークカード等の装置である。
【００４８】
主記憶装置２０４は、例えばＲＡＭなどのメモリ装置である。
【００４９】
音声出力装置２０５は、例えばスピーカーやヘッドセット等の、指示された音声の出力を行う装置である。
【００５０】
出力表示装置２０６は、例えば液晶ディスプレイや、有機ＥＬ（Ｅｌｅｃｔｒｏ  Ｌｕｍｉｎｅｓｃｅｎｃｅ）ディスプレイ等の表示出力を行う装置である。
【００５１】
上記した制御部２２０の各機能部、すなわち表示制御部２２１、接続確立部２２２、受信チャンネル指定受付部２２３は、演算装置２０２が所定のプログラムを読み込み実行することにより構築される。そのため、主記憶装置２０４には、各機能部の処理を実現するためのプログラムが記憶されている。
【００５２】
なお、上記した各構成要素は、表示装置２００の構成を、理解を容易にするために、主な処理内容に応じて分類したものである。そのため、構成要素の分類の仕方やその名称によって、本願発明が制限されることはない。表示装置２００の構成は、処理内容に応じて、さらに多くの構成要素に分類することもできる。また、１つの構成要素がさらに多くの処理を実行するように分類することもできる。
【００５３】
また、各機能部は、ＣＰＵに限らずハードウェア（ＡＳＩＣ、ＧＰＵなど）により構築されてもよい。また、各機能部の処理が一つのハードウェアで実行されてもよいし、複数のハードウェアで実行されてもよい。
【００５４】
［動作の説明］次に、表示情報生成装置１００が実施するプログラムタイプ特定処理の動作について説明する。
【００５５】
図７は、プログラムタイプ特定処理の流れを示す図である。プログラムタイプ特定処理は、周期的に（例えば１秒に１回、あるいはそれよりも長い所定の時間に１回、あるいはそれよりも短い所定の時間に１回、あるいは例えばＦＩＧの放送頻度の周期で）開始される。
【００５６】
まず、プログラムタイプ特定部１２２は、表示情報生成装置１００のアンテナ５０から受信した送信フレームからＦＩＣを読み出す（ステップＳ００１）。
【００５７】
そして、プログラムタイプ特定部１２２は、ＦＩＣから複数のＦＩＢを取り出す（ステップＳ００２）。
【００５８】
そして、プログラムタイプ特定部１２２は、ＦＩＢから複数のＦＩＧを取り出す（ステップＳ００３）。
【００５９】
そして、プログラムタイプ特定部１２２は、所定のＦＩＧによるＰｒｏｇｒａｍｍｅ  Ｔｙｐｅの定義を読み出し、プログラムタイプを特定する（ステップＳ００４）。
【００６０】
以上が、プログラムタイプ特定処理の流れである。プログラムタイプ特定処理によれば、ＤＡＢから適切にプログラムタイプの情報を取得しプログラムタイプを特定することができる。
【００６１】
図８は、出力情報生成処理の流れを示す図である。出力情報生成処理は、表示情報生成装置１００がＤＡＢの受信を開始すると、開始される。
【００６２】
まず、受信制御部１２１は、ＤＬデータとＤＬプラスタグデータとを受信する（ステップＳ１０１）。具体的には、受信制御部１２１は、受信したＤＡＢの送信フレームに含まれるＤＬデータと、ＤＬプラスタグデータと、を取り出す。
【００６３】
そして、出力情報生成部１２４は、表示装置に応じてＤＬデータから抽出する項目数を特定する（ステップＳ１０２）。具体的には、出力情報生成部１２４は、必要情報特定部１２３が特定した表示装置２００の表示能力に応じて、表示する項目数を特定する。例えば、出力情報生成部１２４は、表示装置２００が２行の表示領域を持っている場合には、抽出する項目数を「２」と特定する。
【００６４】
そして、出力情報生成部１２４は、抽出する項目数の優先表示タグを優先順に特定する（ステップＳ１０３）。具体的には、出力情報生成部１２４は、ステップＳ１０２にて特定した抽出する項目数だけ、プログラムタイプ特定処理により特定したプログラムタイプの情報を用いて優先情報記憶部１３２のプログラムタイプ１３２Ａを特定して優先順の高い順にＤＬプラスタグを特定する。
【００６５】
そして、出力情報生成部１２４は、ＤＬプラスタグのデータを用いて優先表示タグのＤＬプラスオブジェクトテキストを抽出する（ステップＳ１０４）。具体的には、出力情報生成部１２４は、ステップＳ１０３において特定した順の優先表示タグについて、ＤＬプラスタグが有するオフセット情報と長さ情報とを用いて、ＤＬデータからＤＬプラスタグにより指定される範囲のテキスト情報をＤＬプラスオブジェクトテキストとして抽出する。
【００６６】
そして、出力情報生成部１２４は、抽出したＤＬプラスオブジェクトテキストで出力情報を生成する（ステップＳ１０５）。具体的には、出力情報生成部１２４は、ステップＳ１０４において抽出したＤＬプラスオブジェクトテキストを用いて、表示装置２００において表示可能な表示情報を生成し、出力情報記憶部１３３に格納する。格納された出力情報は、接続確立部２２２を介して表示装置２００の記憶部２３０へ移され、表示制御部２２１は記憶部２３０の出力情報記憶部２３１を読み出して表示を制御する。
【００６７】
以上が、出力情報生成処理の流れである。出力情報生成処理によれば、表示装置２００において表示することが可能な量のテキスト情報をコンテンツの種類に応じて適切にＤＬデータから抜き出して、表示装置２００においてテキストとして表示情報を適切に生成し出力することができる。
【００６８】
図９は、ＤＬプラスオブジェクトテキストの生成の具体例を示す図である。受信したＤＬデータ４００は、文字数がスペースを含めて４３文字であり、その内容は「Now Playing :Sing For The Moment by Enimen.」である。このうち、「Now Playing :」の部分は再生中のコンテンツの説明のための定型句であり、「Sing For The Moment」の部分が曲のタイトル情報である。そして、「Enimen」の部分がアーティスト情報である。
【００６９】
付随するＤＬプラスタグの情報には、第一の優先ＤＬタグとなる、タグ名称が「Item.title」であるタグが記載されており、「start marker」すなわち開始オフセット位置を特定する「13」と、「length marker」すなわちタイトル情報の開始オフセット位置からの長さは「19」であるとの情報が含まれるものとする。
【００７０】
また、付随するＤＬプラスタグの情報には、第二の優先ＤＬタグとなる、タグ名称が「Item.artist」であるタグが記載されており、「start marker」すなわち開始オフセット位置を特定する「36」と、「length marker」すなわちアーティスト情報の開始オフセット位置からの長さは「6」であるとの情報が含まれるものとする。
【００７１】
ここで、表示装置２００のテキスト表示可能行数が２である場合には、出力情報生成部１２４によって第一の優先ＤＬタグと第二の優先ＤＬタグとの両方が用いられ、それぞれタイトルとして「Sing For The Moment」、アーティストとして「Enimen」がそのオフセット情報からＤＬプラスオブジェクトとして読み取られ、それぞれが表示装置２００の１行目、２行目にテキスト表示される。なお、プログラムタイプは「Jazz music（0x18）」であるとする。
【００７２】
なお、表示装置２００のテキスト表示可能行数が１である場合には、出力情報生成部１２４によって第一の優先ＤＬタグが用いられ、タイトルとして「Sing For The Moment」がそのオフセット情報からＤＬプラスオブジェクトとして読み取られ、表示装置２００の１行目にテキスト表示されることとなる。
【００７３】
ただし、これに限られず、例えばＤＡＢの受信情報から表示する項目を特定するのではなく、ＣＤＤＢ（Ｃｏｍｐａｃｔ  Ｄｉｓｃ  ＤａｔａＢａｓｅ）情報等をＣＤのＴＯＣ（Ｔａｂｌｅ  Ｏｆ  Ｃｏｎｔｅｎｔｓ）を読み取って検索してコンテンツのジャンルに合う表示項目を取得するものであってもよい。このようにすることで、コンテンツの入手経路を問わず、コンテンツに関する適切な情報を容易に取得することができる。
【００７４】
以上が、第一の実施形態に係る表示情報生成システムである。第一の実施形態によれば、表示情報を適切に生成することができるといえる。
【００７５】
ただし、本発明は、上記の実施形態に制限されない。上記の第一の実施形態は、本発明の技術的思想の範囲内で様々な変形が可能である。
【００７６】
例えば、第一の実施形態においては、表示情報生成装置１００と表示装置２００とが別体の装置を実施形態としたが、これに限られず、一体型の装置であってもよいし、例えばより細かく機能別に筐体を独立させ、互いの通信部分にＢｌｕｅｔｏｏｔｈ（登録商標）やＷｉｆｉ（登録商標）等の無線通信を採用した分散型の装置で実施するものであってもよい。
【００７７】
以上、本発明について、実施形態を挙げて説明した。しかし、これに限られず、上記実施形態に記載した特徴的な処理について、別の機器に適用する（例えば、着脱可能なスマートフォンやタブレット装置等の携帯端末等に適用する）ことも可能である。
【符号の説明】
【００７８】
５０・・・アンテナ、１００・・・表示情報生成装置、１２０・・・制御部、１２１・・・受信制御部、１２２・・・プログラムタイプ特定部、１２３・・・必要情報特定部、１２４・・・出力情報生成部、１３０・・・記憶部、１３１・・・プログラムタイプ記憶部、１３２・・・優先情報記憶部、１３３・・・出力情報記憶部、２００・・・表示装置、２２０・・・制御部、２２１・・・表示制御部、２２２・・・接続確立部、２２３・・・受信チャンネル指定受付部、２３０・・・記憶部、２３１・・・出力情報記憶部
【図１】
0006722043.tif 000002
【図２】
0006722043.tif 000003
【図３】
0006722043.tif 000004
【図４】
0006722043.tif 000005
【図５】
0006722043.tif 000006
【図６】
0006722043.tif 000007
【図７】
0006722043.tif 000008
【図８】
0006722043.tif 000009
【図９】
0006722043.tif 000010